(57)【特許請求の範囲】
【請求項１】
帳票シート上に透かし印刷用インキで印刷された偽造防止画像と、少なくとも上記偽造防止画像の部分にサーモクロミックインキで印刷された隠蔽印刷層とを具備したことを特徴とする偽造防止帳票。
【請求項２】
上記隠蔽印刷層が、単色であることを特徴とする請求項１記載の偽造防止帳票。
【発明の詳細な説明】
【０００１】
【発明の属する技術分野】
本発明は、通常の使用状態では判別しにくい偽造防止画像を帳票に予め印刷しておいて、この画像の有無により、本物の帳票か偽造された帳票かを識別できる偽造防止帳票に関する。
【０００２】
【従来の技術】
従来の偽造防止帳票は、図３に示すように、紙製の帳票シート１０上に比較的目立ちにくい点線、網点や波線などで文字、模様等の偽造防止画像２０を印刷し、その上に、サーモクロミックインキで点線、網点、波線などの迷彩の地紋３０を印刷して偽造防止画像２０を隠して、判別できないようにしている（図３（ａ）参照）。そして、帳票の真贋を確かめるには、指で触る等して帳票の迷彩の地紋３０に熱を加え、帳票の温度を上げて、上記迷彩の地紋３０が透明に変化したところで（図３（ｂ）参照）、上記偽造防止画像２０が現れることを確かめて、本物の帳票であることを認識できるようになっている。
【０００３】
【発明が解決しようとする課題】
上記の偽造防止帳票においては、偽造防止画像２０に網点や点線等を用い、迷彩の地紋３０も網点や点線等の模様が用いられ、偽造防止画像２０を隠すためには、偽造防止画像２０の網点や点線等と迷彩の地紋３０の印刷位置がうまく重ならなければならず、偽造防止画像２０と迷彩の地紋３０との相互の位置合わせに手間と時間が掛かり、印刷工程の生産性が非常に悪かった。また、文字や模様が、網点や点線等の地紋に限られ、デザインの自由度が限定されてしまう、迷彩の地紋３０が透明になっても、現れる偽造防止画像２０が認識しにくいという課題があった。
【０００４】
本発明は、上述の課題を解決し、偽造防止画像と迷彩の地紋との印刷工程の生産性がよく、デザインの自由度が大きくて、偽造防止画像が認識しやすい偽造防止帳票を提供するものである。
【０００５】
【課題を解決するための手段】
上述の課題を解決するために、請求項１の発明は、帳票シート上に透かし印刷用インキで印刷された偽造防止画像と、上記偽造防止画像の部分にサーモクロミックインキで印刷された隠蔽印刷層とを具備したことを特徴とする。
【０００６】
請求項２の発明は、請求項１の発明において、上記隠蔽印刷層が、単色であることを特徴とする。
【０００７】
請求項１の偽造防止帳票においては、偽造防止画像が透かしとなるので無色であり、隠蔽印刷層に使用するサーモクロミックインキの顕色時の色が自由に使え、その模様の形状も制限がなくなる。隠蔽印刷層は、網点や点線等とする必要がなく、自由な画像とすることができる。
【０００８】
請求項２の偽造防止帳票においては、隠蔽印刷層を模様のない単色にしたり、あるいは、単色を使用して任意の模様をあしらった隠蔽印刷層としたりして、工程の簡素化を図ることができる。
【０００９】
なお、本発明における「画像」には、文字、模様、図形、写真等を含むものである。
【００１０】
【発明の実施の形態】
本発明に係る偽造防止帳票の実施の形態を、以下、図面を参照して説明する。
【００１１】
図１は、本発明に係る偽造防止帳票の一実施の形態を示す断面図、図２は、図１の偽造防止帳票の平面図である。
【００１２】
図１において、１は、伝票、チケット、金券等の紙製の帳票シートで、この帳票シート１に透かし印刷用インキで偽造防止画像２、２が印刷され、更にその上に、サーモクロミックインキで模様を形成した隠蔽印刷層３が印刷されている。
【００１３】
上記偽造防止画像２に使用した透かし印刷用インキは、ユニマークインキＴＳ−Ｂ（商品名、帝国インキ製造（株）製）を用いた。このユニマークインキＴＳ−Ｂは、不乾性油の一種で、無色であり、帳票シート１に印刷されるとシート１の紙に浸透し、これを透かして見たときに印刷部分が透けて見えるので、「透かし」となるものである。
【００１４】
また、上記隠蔽印刷層３に使用したサーモクロミックインキは、常温で淡い青色と淡い緑色、手で触って温度が上がるといずれも透明になる、可逆変色反応を起こす２色のインキである。
【００１５】
本発明の偽造防止帳票は、上記帳票シート１に、図示は省略してあるが、帳票のフォームが所定の色のインキで印刷されていて、このフォームの余白に上記偽造防止画像２および隠蔽印刷層３が印刷された構成になっている。なお、この偽造防止帳票は、通常使用されるときは、用途により、帳票のフォームに更に個別の書き込みや印刷が加えられることもある。
【００１６】
偽造防止画像２は、図２（ａ）に示すように、隠蔽印刷層３に隠されていて認識することができない。使用された帳票が本物か否かを調べるには、隠蔽印刷層３の部分を指で触る。隠蔽印刷層３のサーモクロミックインキは、指の温かみで温度が上がり、透明に変色する。それにより、図２（ｂ）に示すように、偽造防止画像２が浮き出てきて本物の帳票であることを確認することができる。
【００１７】
なお、図２の隠蔽印刷層３は、２色の色を組み合わせた模様３ａ、３ｂからなる例を示してあるが、この隠蔽印刷層３は、濃い、あるいは、淡い均一の単色の印刷でも、あるいは、濃淡組み合わせの複数色の印刷等でも、自由に使用することができる。透かしインキによる偽造防止画像２が無色で目立たないものであるので、その上を隠す隠蔽印刷層３に偽造防止画像２に類似した模様等を用いてカムフラージュする必要がないからであって、濃い単色は勿論、淡い単色でも充分偽造防止画像２を隠すことができるし、模様を用いる場合も、偽造防止画像２の文字等に関係なく自由に地紋その他のデザインを採用できる。隠蔽印刷層３の色彩も自由に選択することができるのである。
【００１８】
【発明の効果】
以上の説明のように、本発明は、以下の作用効果を有する。
【００１９】
（１）請求項１記載の発明によれば、透かし印刷された、無色で透かして見ると認識することのできる偽造防止画像が、常温で色が付いているサーモクロミックインキで印刷された隠蔽印刷層に完全に隠されるから、従来の偽造防止帳票のように、偽造防止画像に網点や点線等を用い、隠蔽印刷層に網点や点線等の迷彩の地紋を用いて、偽造防止画像をカムフラージュする必要がなく、隠蔽印刷層の色、模様が自由にデザインできる。印刷の際は、偽造防止画像と隠蔽印刷層との正確な位置合わせを必要としないから、生産性が向上される。偽造防止画像を連続した線や面で描けるから、指等で暖めてサーモクロミックインキを透明にすれば、偽造防止画像を鮮明に透かし見ることができる。
【００２０】
（２）請求項２記載の発明によれば、隠蔽印刷層に単色の画像を使用することにより、工程の簡素化を図ることができる。
【図面の簡単な説明】
【図１】本発明に係る偽造防止帳票の一実施の形態を示す断面図。
【図２】図１の偽造防止帳票の偽造防止画像の例を示す要部平面図で、（ａ）は偽造防止画像が見えない通常の使用状態を、（ｂ）は偽造防止画像部分を指等で暖めて偽造防止画像を浮き出させた状態をそれぞれ示す。
【図３】従来の偽造防止帳票の要部を示す平面図で、（ａ）は偽造防止画像が見えない通常の使用状態を、（ｂ）は偽造防止画像部分を指等で暖めて偽造防止画像を浮き出させた状態をそれぞれ示す。
【符号の説明】
１  帳票シート
２  偽造防止画像
３  隠蔽印刷層
【図１】
0003963240.tif 000002
【図２】
0003963240.tif 000003
【図３】
0003963240.tif 000004